(57)【要約】【課題】スロットローディング方式光ディスクドライブの故障或いは停電状況において、光ディスクを強制イジェクトする装置を提供する。【解決手段】スロットローディング方式光ディスクドライブのディスク出し入れの伝動歯車組近傍に設置され、スロットローディング方式光ディスクドライブに回転可能なように定着され、その上に伝動歯車組内の可動歯車を定着させ、回転板の回転に伴い伝動歯車組の動力を伝達する位置を転位する回転板と、回転板に連結し、他端がスロットローディング方式光ディスクドライブに定着され、弾性力を利用して前記歯車を伝動歯車組の動力の伝達する位置に位置させる弾性体を含み、回転板に当接面を設け、及び、伝動歯車組の動力出力側に摺動部材の当接部を連結し、順番に従って貫通孔のスロットローディング方式光ディスクドライブを穿通する経路に位置し、貫通孔に細い棒を差し込むことで緊急イジェクト装置を起動する。【選択図】  図４
2008198264.tif 000002
【特許請求の範囲】
【請求項１】
スロットローディング方式光ディスクドライブのディスク出し入れの伝動歯車組近傍に設置され、
スロットローディング方式光ディスクドライブに回転可能なように定着され、その上に伝動歯車組内の可動歯車を定着させ、回転板の回転に伴い伝動歯車組の動力の伝達する位置を転位できる回転板、及び、
回転板に連結し、弾性力を利用して前記歯車を伝動歯車組の動力の伝達する位置に位置させる弾性体を含むことを特徴とする、スロットローディング方式光ディスクドライブの緊急イジェクト装置。
【請求項２】
請求項１のスロットローディング方式光ディスクドライブの緊急イジェクト装置において、前記回転板にスロットローディング方式光ディスクドライブに開けた貫通孔のスロットローディング式光ディスクドライブを穿通する経路に位置する当接面を設けることを特徴とする、スロットローディング方式光ディスクドライブの緊急イジェクト装置。
【請求項３】
請求項２のスロットローディング方式光ディスクドライブの緊急イジェクト装置において、当接面が回転板の側縁で折り曲げを形成することを特徴とする、スロットローディング方式光ディスクドライブの緊急イジェクト装置。
【請求項４】
請求項２のスロットローディング方式光ディスクドライブの緊急イジェクト装置において、前記伝動歯車組の動力出力側に摺動部材を連結し、摺動部材が貫通孔のスロットローディング方式光ディスクドライブを穿通する経路に位置し、且つ当接面の後ろに位置することを特徴とする、スロットローディング方式光ディスクドライブの緊急イジェクト装置。
【請求項５】
請求項４のスロットローディング方式光ディスクドライブの緊急イジェクト装置において、前記貫通孔がスロットローディング方式光ディスクドライブを穿通する経路から摺動部材の間において案内溝を設けることを特徴とする、スロットローディング方式光ディスクドライブの緊急イジェクト装置。
【請求項６】
請求項４のスロットローディング方式光ディスクドライブの緊急イジェクト装置において、前記摺動部材が貫通孔のスロットローディング方式光ディスクドライブを穿通する経路に位置する当接部を設けることを特徴とする、スロットローディング方式光ディスクドライブの緊急イジェクト装置。
【請求項７】
請求項１のスロットローディング方式光ディスクドライブの緊急イジェクト装置において、前記回転板上に等間隔で固定孔、及び、移動孔を設け、固定孔はスロットローディング方式光ディスクドライブの固定に用いられ、移動孔が前記可動歯車を固定することに用いることを特徴とする、スロットローディング方式光ディスクドライブの緊急イジェクト装置。
【請求項８】
請求項７のスロットローディング方式光ディスクドライブの緊急イジェクト装置において、前記伝動歯車組には、第１歯車、第２歯車、及び、第３歯車を含み、第２歯車が可動歯車となり、第１歯車と第３歯車がスロットローディング方式光ディスクドライブに定着され、第２歯車が伝動歯車組の伝達動力を切り離すことを特徴とする、スロットローディング方式光ディスクドライブの緊急イジェクト装置。
【請求項９】
請求項７のスロットローディング方式光ディスクドライブの緊急イジェクト装置において、前記回転板は、固定孔から第１歯車と一緒にスロットローディング方式光ディスクドライブに定着することで、第２歯車と第１歯車の噛合を維持させ、また第３歯車と切り離しを発生させることを特徴とする、スロットローディング方式光ディスクドライブの緊急イジェクト装置。
【請求項１０】
請求項１のスロットローディング方式光ディスクドライブの緊急イジェクト装置において、前記回転板は、支持孔を設けて前記弾性体と連結し、他端がスロットローディング方式光ディスクドライブに定着されることを特徴とする、スロットローディング方式光ディスクドライブの緊急イジェクト装置。
【請求項１１】
請求項１のスロットローディング方式光ディスクドライブの緊急イジェクト装置において、前記緊急イジェクト装置が、スロットローディング方式光ディスクドライブの伝動歯車組の裏面に設けることを特徴とする、スロットローディング方式光ディスクドライブの緊急イジェクト装置。
【発明の詳細な説明】
【技術分野】
【０００１】
スロットローディング方式光ディスクドライブに関り、特に、スロットローディング方式光ディスクドライブの故障或いは停電状況において、光ディスクを強制イジェクトする緊急イジェクト装置に関る。
【背景技術】
【０００２】
光ディスクドライブは、ディスクの出し入れ形式で区分され、一般的にトレイローディング方式（Tray-type）とスロットローディング方式（Slot-in）の２種類に分かれている。トレイローディング方式の光ディスクドライブは、トレイによって光ディスクをローディングしてディスクの出し入れを行い、光ディスクドライブが機能を失った時、トレイのロック機構に接触するだけで、トレイがイジェクトされてディスクを取り出すことができる。スロットローディング方式光ディスクドライブは、歯車装置によりレバー、ローラ或いは歯付ベルトなどを連動して光ディスクの出し入れを誘導しているが、機能を失った時光ディスクを光ディスクドライブからイジェクトさせることができないため、光ディスクドライブの筐体を取り外すことで、光ディスクを取り出すことができる。しかしながら、精密なスロットローディング方式光ディスクドライブを解体することは、一般の利用者にとっても非常に難しく、特に自動車のオーディオ、コンピュータ或いは高級視聴覚設備のスロットローディング方式光ディスクドライブの場合、専門技術者に更に依頼してメイン機器を解体し、その後更にスロットローディング方式光ディスクドライブを解体することで、光ディスクを取り出すことができる。これにより、スロットローディング方式光ディスクドライブの緊急イジェクトは非常に不便なものとなっている。
【０００３】
スロットローディング方式光ディスクドライブの緊急イジェクトが容易でないことを解決するため、図１に示すように、特許文献１のスロットローディング方式光ディスクドライブの強制スロットイン・イジェクト装置があることが、前記従来のイジェクト装置１内には、動力供給ユニットがイジェクト装置１前部に設置されている駆動歯車２を回転させるための電力供給ユニットを含み、イジェクト装置１上に動力供給ユニットの回転を起動或いは停止に用いる制御スイッチ３を別途設ける。その後イジェクト装置１前部の駆動歯車２がスロットローディング方式光ディスクドライブ４前部の位置決め穴５に挿入されることで、駆動歯車２が位置決め穴５近傍に取り付けている光ディスクドライブ４のモータのピ二オン歯車とちょうど噛合し、更に制御スイッチ３をオンにして駆動歯車２を回転させて光ディスクドライブ４モータのピニオン歯車を連動することで、光ディスクドライブ４がイジェクト動作に行わせ、取り出しやすくなり、光ディスクを出し入れ口６により光ディスクドライブからイジェクトさせる。
【０００４】
前記従来のイジェクト装置１は、光ディスクドライブから強制的にイジェクトできるが、イジェクト装置１は電力により前部の駆動歯車２の構造を回転させる特殊な工具であり、どこでも取得できる汎用工具ではなく、そして一般消費者が光ディスクドライブを使用する時、わざわざイジェクト装置を別途購入することもなく、更にはいつも重いイジェクト装置を携帯するようなことはしていない。これにより光ディスクドライブが故障、機能を失った時、リアルタイムで適した工具を探し出すことができないため、やはり修理に送り、専門技術者に依頼してメイン機器を解体して光ディスクを取り出すこととなる。専門修理技術者としても一般的な工具でスロットローディング方式光ディスクドライブの出し入れ口から強制的にイジェクトできず、必ず随時イジェクト装置を具えていることで、簡単に光ディスクを取り出すことができる。でなければメイン機器を解体して光ディスクを取り出さざるをえない。
【０００５】
更に、従来のスロットローディング方式光ディスクドライブは、幾重の歯車装置が出し入れ機構を連動して出し入れするため、歯車装置の出力側と出力側のトルク差が非常に大きいだけではなく、回転速度の変化も非常に大きい。イジェクト装置でモータのピニオン歯車を回転させてスロットローディング方式光ディスクドライブの歯車装置を駆動させることは、比較的大きな電力を必要とする以外に、一定時間光ディスクドライブの歯車装置を回転させることで、イジェクトさせることができので、スピーディーにイジェクトすることができない。これにより、従来のスロットローディング方式光ディスクドライブのイジェクト装置には、使用上やはり大きな制限があるため、解決が待たれていた。
【特許文献１】台湾第０９２１０８３２４号特許案
【発明の開示】
【発明が解決しようとする課題】
【０００６】
本発明の目的は、スロットローディング方式光ディスクドライブの緊急イジェクト装置を提供し、イジェクト装置を光ディスクドライブ内に設けることで、電力を必要とせず、一般的な工具のみで緊急イジェクト作用を達することができ、使用に利便性があることにある。
【０００７】
本発明の別の目的は、スロットローディング方式光ディスクドライブの緊急イジェクト装置を提供し、簡単なイジェクト装置構造により、伝動歯車組のトルクを引き下げることで操作に利便性があることにある。
【０００８】
本発明の別の目的は、スロットローディング方式光ディスクドライブの緊急イジェクト装置を提供し、効率を向上するため、直接主駆動部座を移動させることで、光ディスクドライブからスピーディーにイジェクトさせることにある。
【課題を解決するための手段】
【０００９】
前述の発明目的を達成するため、本発明のスロットローディング方式光ディスクドライブのイジェクト装置は、スロットローディング方式光ディスクドライブのディスク出し入れの伝動歯車組近傍に設置され、スロットローディング方式光ディスクドライブに回転可能なように定着され、その上に伝動歯車組内の可動歯車を定着させ、回転板の回転に伴い伝動歯車組の動力を伝達する位置を転位する回転板と、回転板に連結し、他端がスロットローディング方式光ディスクドライブに定着され、弾性力を利用して前記歯車を伝動歯車組の動力の伝達する位置に位置させる弾性体を含み、前記回転板に貫通孔のスロットローディング方式光ディスクドライブを穿通する経路に位置する当接面を設け、伝動歯車組の動力出力側に摺動部材を連結し、摺動部材の当接部も貫通孔の穿通経路に位置し、且つ当接面の後ろに位置し、貫通孔に細い棒を差し込むことで緊急イジェクト装置を起動することにある。
【発明の効果】
【００１０】
本発明のスロットローディング方式光ディスクドライブの緊急イジェクト装置３０は、イジェクト装置を直接光ディスク装置内に設けることで、利用者が電力及び特殊な工具を必要とせずに随時一般工具で、緊急イジェクトの目的を達成できる。
【発明を実施するための最良の形態】
【００１１】
本発明の上述の目的を達成するため、用いる技術手段及びその機能、効果について、好ましい実施例を挙げ、また図面を組み合わせて以下のとおり説明する。
【００１２】
図２は、本発明の緊急イジェクト装置３０を設けたスロットローディング方式光ディスクドライブ２０で、主に駆動モータ２１、伝動歯車組２２、案内機構２３、位置決め機構２４及びコア２５などを含む。スロットローディング方式光ディスクドライブ２０の光ディスク（図に未表示）は、矢印が示す方向からパネル２６上の出入口２７に挿入され、スロットローディング方式ディスクドライブ２０が光ディスクを感知した時、まず駆動モータ２１を起動させて、駆動モータ２１が伝動歯車組２２を回転させ、伝動歯車組２２が駆動モータ２１の回転軸上に設けたウオーム歯車２２１により第１歯車２２２が連動して順番に従い第２歯車２２３及び第３歯車２２４を回転させ、更に第３歯車２２４が摺動部材２２５のギアラックを駆動させ、摺動部材２２５に往復運動を形成させ、レバーのある案内機構２３の動きを連動して光ディスクの周辺から光ディスクを押し込むことで、光ディスクの前端が位置決め機構２４に接触させて、光ディスクの中心孔を調整する。伝動歯車組２２が同時に位置決め機能２４の内部収縮を連動して、光ディスクの中心孔をコア２５主軸モータ２５１の定位置に合わせるよう到達させ、更に主軸モータ２５1が光ディスクの中心孔を挟持するまで伝動歯車組２２がコア２５を押進して案内溝（図に未表示）に沿って上昇し、主軸モータ２５１で光ディスクを回転させ、更にコア２５上の光学読み取りヘッド２５２を利用して光ディスク上のデータにアクセスする。イジェクトする時、駆動モータ２１を逆回転させて伝動歯車組２２全体を駆動させ、逆回転でコア２５の降下を押進することで主軸モータ２５１を光ディスクの中心孔から離脱させ、位置決め機構２４が光ディスクを排出してスロットローディング方式光ディスクドライブ２０の前部の出入口２７に送られることで、光ディスクを取り出す。前述は、スロットローディング方式光ディスクドライブ２０の出し入れ関連動作について少し説明ものであって、駆動モータ２１により伝動歯車組２２を回転させて光ディスクの出し入れを連動することは、従来のスロットローディング方式光ディスクドライブ２０の構造であり、本発明の技術特徴点ではなく、関連の従来技術を参考していただければよく、ここでは詳述しない。
【００１３】
本発明の緊急イジェクト装置３０は、スロットローディング方式光ディスクドライブ２０内の伝動歯車組２２に近く位置に設けられ、調整の利便性のため、本実施例ではスロットローディング方式光ディスクドライブ２０の前部に設けることを例にして説明する。スロットローディング方式光ディスクドライブ２０の前部パネル２６の伝動歯車組２２の近接位置に貫通孔２８を開け、本発明の緊急イジェクト装置３０は貫通孔２８から延伸したスロットローディング方式光ディスクドライブ２０内に設けられ、貫通孔２８に細い棒４０を差し込むことで本発明の緊急イジェクト装置３０に接触できる。図３は、スロットローディング方式光ディスクドライブ２０の伝動歯車組２２の背面の局所拡大図で、第１歯車２２２、第２歯車２２３及び第３歯車２２４が大小歯車で組成され、大小歯車の相互噛合により伝動を形成し、第１歯車２２２の大歯車と駆動モータ２１回転軸上のウオーム歯車２２１が相互に噛合し、また第３歯車２２４の小歯車が摺動部材２２５のギアラックと噛合し、第１歯車２２２と第３歯車２２４の中心軸がそれぞれスロットローディング方式光ディスクドライブ２０に定着している。本発明の緊急イジェクト装置３０を伝動歯車組２２の裏面に設け、主に回転板３１、弾性体３２及び案内溝３３を含む。回転板３１上に等間隔でそれぞれ固定孔３４、移動孔３５及び支持孔３６などの３つの孔を開け、固定穴３４が第１歯車２２２の中心軸から貫通して第１歯車とスロットローディング方式光ディスクドライブ２０上で同時に回転できるように定着することで、回転板３１が固定孔３４を中心として自由回転できる。移動孔３５は、第２歯車２２３の中心軸の固定に用いられ、第２歯車２２３が移動孔３５と伴に、固定孔３４を中心として移動を発生することで可動歯車を形成し、同時に第２歯車２２３が移動中において、その大歯車を常時第１歯車２２２の小歯車との噛合を維持させる。
【００１４】
その他、緊急イジェクト装置３０の弾性体３２の一端がスロットローディング方式光ディスクドライブ２０に定着され、他端が支持孔３６に連結する。弾性体３２は、支持孔３６の力が加わる方向を引張支持することで、緊急イジェクト装置３０の固定孔３４を支点として、第２歯車２２３が第１歯車２２２及び第３歯車２２４と緊密に噛合させることができる。逆に、緊急イジェクト装置３０の弾性体３２弾性力の回転方向に抵抗することで、第２歯車２２３の小歯車が噛合していた第３歯車２２４を離脱させることができる。その他、回転板３１の側縁部に当接面３７を設け、当接面３７が回転板３１の側縁で折り曲げを形成し、当接面３７は細い棒４０が貫通孔２８に差し込む経路に位置し、且つ細い棒４０を押動することで回転板３１を回転させることができる。貫通孔２８が細い棒４０を誘導して当接面３７を押動する以外に、緊急イジェクト装置３０は、細い棒４０を貫通孔２８に差し込む経路に摺動部材２２５の一端まで案内溝３３を設置することで細い棒４０を誘導して当接面３７を押動すると共に摺動部材２２５上の当接部２２６に接触できる。
【００１５】
図４は、本発明の緊急イジェクト装置３０の作動状態において、スロットローディング方式光ディスクドライブ２０が故障或いは停電などで機能を失った状態にある時、直ちに光ディスクを取り出すため、貫通孔２８に細い棒４０を差し込むと、貫通孔２８及び案内溝３３が誘導し、細い棒４０が当接面３７に接触して当接面３７を押動し、回転板３１が第１歯車２２２の中心軸を中心として回転させることで、弾性体３２の弾性力に抵抗し、第２歯車２２３の小歯車を第３歯車２２４の噛合から強制離脱させ、伝動歯車組２２の伝達力を前後離脱させることで、イジェクトの回転に要する歯車を減少させるだけでなく、更に例えばウオーム歯車２２１のようなトルクが比較的大きい低回転速度の伝動歯車抵抗力を遮断させてイジェクトに必要な力を引き下げる。次に第２歯車２２３が噛合している第３歯車２２４を離脱させて維持した状態で、細い棒４０が引き続き奥に差し込まれて摺動部材２２５上の当接部２２６に接触し、細い棒４０で当接部２２６を移動させて摺動部材２２５を押進し、この時摺動部材２２５は伝動歯車組２２の第３歯車２２４のみを回転させることで、抵抗力を多く減少させることができ、且つ歯車比の回転速度に必要な時間を減少させることができ、これにより摺動部材２２５がコア２５の降下を直接駆動できることで、主軸モータ２５１が光ディスクを離脱させ、また位置決め機構２４を押動して光ディスクを押し出してスピーディーにイジェクトさせる目的を達することができる。
【００１６】
これにより、本発明のスロットローディング方式光ディスクドライブの緊急イジェクト装置３０は、イジェクト装置を直接光ディスク装置内に設けることで、利用者が電力及び特殊な工具を必要とせずに随時一般工具で、緊急イジェクトの目的を達成できる。同時に、本発明の緊急イジェクト装置は、構造が小さく精巧で、且つ非常に簡単であるため、部品の減少及びコストを削減できるだけでなく、大きなスペースを占める必要もなく、本来のスロットローディング方式光ディスクドライブ内部空間の配置に影響を及ぼすことなく、適用できる機種の範囲も拡大する。その他、本発明の緊急イジェクト装置は、イジェクト装置でトルクが比較的大きい低回転速度の駆動歯車の抵抗力を遮断して、イジェクトに必要な力を引き下げるため、操作しやすくなる。更に、本発明の緊急イジェクト装置は、細い棒が直接摺動部材を押進することで、伝動歯車組の抵抗力を減少でき、またコア２５及び位置決め機構２４を直接駆動して直ちに光ディスクを押し出して、スピーディーにイジェクトできる。
【００１７】
前述の実施例により本発明の緊急イジェクト装置が、レバー式のスロットローディング方式光ディスクドライブで説明したが、この形態のスロットローディング方式光ディスクドライブに限らず、伝動歯車組でレバー、ローラ或いは歯付ベルトなどを連動して光ディスクの出し入れを誘導するスロットローディング方式光ディスクドライブについて、本発明の緊急イジェクト装置を均しく適用できる。その他、スロットローディング方式光ディスクドライブの伝動が異なる方向となるかもしれないが、これは例えば細い棒で摺動部材を前に押動することをフックさせて引くことに変更するなどというように本発明の緊急イジェクト装置の作動位置及び方向を変更するだけで、容易に緊急イジェクトの目的を達成できるものは、均しく本発明の技術範囲から逸脱することが無いものとする。
【００１８】
上記は、本発明を説明するためのみの好ましい実施例であり、本発明の範囲はこれら好ましい実施例に限定されることが無く、本発明に基づいて行った任意の変化は、本発明の精神を逸脱しない状態で本発明の特許請求範囲に属するものとする。
【図面の簡単な説明】
【００１９】
【図１】従来のスロットローディング方式光ディスクドライブの強制スロットイン・イジェクト装置の立体図である。
【図２】本発明のスロットローディング方式光ディスクドライブの緊急イジェクト装置の立体図である。
【図３】本発明のスロットローディング方式光ディスクドライブの緊急イジェクト装置の局所拡大図である。
【図４】本発明のスロットローディング方式光ディスクドライブの緊急イジェクト装置の作動図である。
【符号の説明】
【００２０】
２０   スロットローディング方式光ディスクドライブ
２１  駆動モータ
２２  伝動歯車組
２２１  ウオーム歯車
２２２  第１歯車
２２３  第２歯車
２２４  第３歯車
２２５  摺動部材
２２６  当接部
２３  案内機構
２４  位置決め機構
２５  コア
２５１  主軸モータ
２５２  光学読み取りヘッド
２６  パネル
２７  出入口
２８  貫通孔
３０  緊急イジェクト装置
３１  回転板
３２  弾性体
３３  案内溝
３４  固定孔
３５  移動孔
３６  支持孔
３７  当接面
４０  細い棒
【図１】
2008198264.tif 000003
【図２】
2008198264.tif 000004
【図３】
2008198264.tif 000005
【図４】
2008198264.tif 000006